(57)【要約】【課題】  製造工程を簡略化できる電気泳動表示装置を提供する。【解決手段】  電気泳動表示装置の各画素Ａは隔壁部材２にて仕切り、画素Ａには絶縁性液体３や帯電粒子４や第１電極５ａや第２電極５ｂを配置する。このうち、第１電極５ａは、導電性を有する接着剤にて形成し、隔壁部材２と基板１ａとの間に配置してそれらを接着するようにする。したがって、第１電極５ａの他に接着層を別途設ける場合に比べて製造工程を簡略化できる。【選択図】      図１
2004310087.tif 000002
【特許請求の範囲】
【請求項１】
間隙を開けて対向して配置された第１基板及び第２基板と、該間隙に配置され、該間隙を複数の区画に仕切る隔壁と、該区画に配置された絶縁性液体及び複数の帯電粒子と、少なくとも隔壁と第１基板との間に配置された第１電極と、第２基板上の第２電極と、を備えた電気泳動表示装置において、
該第１電極が接着性を有することを特徴とする電気泳動表示装置。
【請求項２】
前記第１電極が、導電性ポリマー、金属粉、金属繊維、導電性酸化物粉、導電性酸化物繊維、カーボン粉、炭素繊維、グラファイト、グラファイト繊維、導電性繊維からなる群から選ばれた少なくとも１つの材料を含有する接着性樹脂であることを特徴とする請求項１に記載の電気泳動表示装置。
【請求項３】
前記第２基板に対抗する前記第１基板の面に接着性を向上させるプライマー処理が施されていることを特徴とする請求項１に記載の電気泳動表示装置。
【請求項４】
前記第１基板の隔壁に接触する位置に凹部が設けられ、前記第１電極が該凹部の内部に配置されていることを特徴とする請求項１に記載の電気泳動表示装置。
【請求項５】
前記第１電極が隔壁と第１基板との間以外の第１基板面にも設けられていることを特徴とする請求項１に記載の電気泳動表示装置。
【請求項６】
前記第１電極が接着性を有するシートであり、隔壁と絶縁性液体を覆って配置されていることを特徴とする請求項１に記載の電気泳動表示装置。
【請求項７】
前記絶縁性液体及び複数の帯電粒子がカプセルに封入されて該間隙に配置され、該カプセルの外壁が前記隔壁を構成することを特徴とする請求項１に記載の電気泳動表示装置。
【発明の詳細な説明】
【技術分野】
【０００１】
本発明は、一般的には、帯電粒子を移動させることに基づき表示を行う電気泳動表示装置に関する。
【背景技術】
【０００２】
従来、電圧を印加して帯電粒子を移動させることに基づき表示を行うようにした電気泳動表示装置が注目されている。
【０００３】
この種の電気泳動表示装置は、特許文献１に開示されているように、所定間隙を開けた状態に配置された一対の基板と、それらの基板の間隙に配置された絶縁性液体や帯電粒子と、電圧が印加される一対の電極と、によって構成されていた。
【０００４】
ところで、このような電気泳動表示装置においては、帯電粒子が他の画素へ移動してしまわないように隔壁、あるいはマイクロカプセルを配置して画素が区画されている。
【０００５】
そのため、前記特許文献１に記載の隔壁を有する電気泳動表示装置の製造に際しては、
・  一対の基板に電極をそれぞれ形成し、
・  一方の基板に隔壁を形成し、
・  隔壁にて形成された凹部（各画素に相当）に絶縁性液体や帯電粒子を充填し、
・  隔壁の上面に接着層を設け、
・  隔壁に他方の基板（電極を形成してある基板）を貼り付ける、
という作業が行われていた。
【０００６】
また、特許文献２に記載のマイクロカプセルを有する電気泳動表示装置のように、
・      帯電粒子及び絶縁性液体を備えたマイクロカプセルを含有するシートを形成し、
・      電極を備えた基板を形成し、
・      該シートと基板とを接着層によって接着するようにしたものもある。
【０００７】
【特許文献１】特開昭５９−３４５１８号公報
【特許文献２】特開２００２−０２３２０２公報
【発明の開示】
【発明が解決しようとする課題】
【０００８】
ところで、上述した電気泳動表示装置の場合、画素を区画する部材とそれを支持する基板を接着するための接着層を設けなければならず、その分、製造工程が煩雑になり（つまり、接着層を形成するための製造装置や製造工程が必要になり）、製造工程が煩雑な分だけ歩留まりも上がったり製造コストが上昇したりするおそれがあった。
【０００９】
そこで、本発明は、製造工程の簡素化や歩留りの低減等を達成する電気泳動表示装置を提供することを目的とするものである。
【課題を解決するための手段】
【００１０】
本発明は上記事情を考慮してなされたものであり、間隙を開けて対向して配置された第１基板及び第２基板と、該間隙に配置され、該間隙を複数の区画に仕切る隔壁と，該区画に配置された絶縁性液体及び複数の帯電粒子と、少なくとも隔壁と第１基板との間に配置された第１電極と、第２基板上の第２電極と，を備えた電気泳動表示装置において、該第１電極が接着性を有することを特徴とする。
【発明の効果】
【００１１】
本発明によると、接着機能を有する電極を用いることで、従来必要であった接着層塗布用の製造工程や製造装置が不要となり、製造工程を簡略化できる。その結果、製造歩留りや製造コストを低減することができる。
【発明を実施するための最良の形態】
【００１２】
以下、図１及び図２を参照して、本発明の実施の形態について説明する。
【００１３】
本実施の形態に係る電気泳動表示装置は、図１に符号Ｄ１で示すように、所定間隙を開けて配置された第１基板１ａ及び第２基板１ｂと、これら基板の間に配置された絶縁性液体３及び複数の帯電粒子４と、第１電極５ａ及び第２電極５ｂと、を備え、該第１電極５ａ及び第２電極５ｂの少なくとも一方が接着機能を有する電極であることを特徴とする。
【００１４】
これらの基板の間隙には画素Ａを仕切るように隔壁部材２を配置すると良い。そして、絶縁性液体３及び複数の帯電粒子４や、第１電極５ａ及び第２電極５ｂは各画素Ａに配置すると良い。この電気泳動表示装置は、これらの電極５ａ，５ｂに電圧を印加して帯電粒子４を移動させることに基づき表示を行うようになっている。なお、便宜上、図１には１つの画素のみを示す。
【００１５】
また、本発明における第１電極５ａは、前記隔壁部材２と前記第１基板１ａとの間に配置されてそれらを接着するように構成されている。図１に示す第１電極５ａは画素Ａの境界部分にのみ配置されていて画素Ａの内部には配置されていないが、画素Ａの境界部分及び内部に配置するようにしても良い。
【００１６】
また、図３に示すような画素を区画する構造としてマイクロカプセルを用いた電気泳動表示装置のような場合には、多数のマイクロカプセルに沿うように第１電極をシート状に配置し、その第１電極によって第１基板を接着すると良い。なお、図１に符号５ａで示すように第１電極を画素Ａの境界部分にのみ配置するような場合、或いは第１電極を第１基板のほぼ全面に配置するような場合、各画素Ａの第１電極は電気的に導通させて同電位に保持すると良い。
【００１７】
ここで、第１電極５ａとしては、接着性のある導電性樹脂を用いることができ、具体的には、導電性ポリマー、金属粉、金属繊維、導電性酸化物粉、導電性酸化物繊維、カーボン粉、炭素繊維、グラファイト、グラファイト繊維、導電性繊維から選ばれたものを少なくとも１種以上含む接着性樹脂を用いることができる。このうち、カーボン粉、カーボン繊維を含有する接着性樹脂は非透光性（光吸収性）を有し、導電性ポリマーや導電性酸化粉を含有した接着性樹脂は透光性を有するが、必要に応じてそれらの材料を使い分ければ良い。例えば、第１電極５ａとしては東芝株式会社製の導電・接着性液状シリコーンゴムを用いると良い。
【００１８】
尚、第１基板１ａの接着側面にはプライマー処理をすることで接着性を向上させることができる。また、第１電極５ａとして光散乱性を有する材料や光反射性を有する材料を用いても良い。
【００１９】
尚、第１電極の色味は、該電極の配置個所や形状や寸法に応じて変えれば良い。
【００２０】
図１では第１電極が画素Ａの境界部分にのみ配置されているが、図３は，予めマイクロカプセルに泳動分散液を封入し、これを一方の基板上に配置して他方基板で挟み、押さえつけて球形のマイクロカプセルを平坦に変形させた電気泳動表示装置を示す。
【００２１】
カプセルの外壁のうち、上下の基板に接しない部分が隔壁を構成する。この場合は，上下に帯電泳動粒子を移動させるために、第１電極は第１基板の全面に配置される。第１基板を底面として配置し、第１電極を黒色にすることによりコントラストが向上する。
【００２２】
図４は、第１電極５ａを第１基板１ａとは別にシート状に形成した例である。隔壁２を第２基板１ｂ上に形成し、泳動分散液３と帯電粒子４を注入した後、その上を覆って第１電極シート５ａをかぶせる。第１基板１ａ面を表示面にする場合は第１電極シートを透光性材料で形成する。
【００２３】
ところで、上述した第１電極５ａは、絶縁性液体３にて溶けないように工夫しておく必要がある。その方法としては、
(1)  図２に示すように、第１電極５ａを第１基板１１ａに埋め込んでしまって、絶縁性液体３に接触しないようにする方法
(2)  絶縁性液体３に溶けにくい材質（不溶性の高い材質）のもので第１電極５ａを形成する方法
(3)  第１電極５ａの表面に皮膜を設ける方法
を挙げることができる。また、第１電極５ａから帯電粒子４への電荷注入を防止する必要があり、その方法としては、
(4)  上記(1)の方法
(5)  第１電極５ａの表面に絶縁膜を設ける方法
(6)  絶縁膜を設けないで、第１電極表面自体の絶縁性を高める方法
を挙げることができる。
【００２４】
尚、本実施の形態で説明する第１電極５ａと第２電極５ｂは、電気泳動表示装置に含まれる一対の電極の配置や形状を制限するものではない。
【００２５】
図１に示す電気泳動表示装置を製造するには、
・  第２基板１ｂに第２電極５ｂや絶縁層や隔壁部材２を形成し、
・  隔壁部材２に第１電極５ａを形成し、
・  隔壁部材２にて区画された凹部に絶縁性液体３や帯電粒子４を充填し、
・  第１基板１ａを貼り付け、
・  第１電極５ａを硬化させれば良い。
【００２６】
本実施の形態によれば、第１電極５ａが接着機能を有するために、従来必要であった接着層塗布用の製造工程や製造装置が不要となり、製造工程を簡略化できる。その結果、製造歩留りや製造コストを低減することができる。
【図面の簡単な説明】
【００２７】
【図１】本発明に係る電気泳動表示装置の構造の一例を示す断面図。
【図２】本発明に係る電気泳動表示装置の構造の一例を示す断面図。
【図３】本発明に係る電気泳動表示装置の構造の一例を示す断面図。
【図４】本発明に係る電気泳動表示装置の構造の一例を示す断面図。
【符号の説明】
【００２８】
１ａ          第１基板
１ｂ          第２基板
２            隔壁部材
３            絶縁性液体
４            帯電粒子
５ａ          第１電極
５ｂ          第２電極
６            マイクロカプセル
Ａ            画素
【図１】
2004310087.tif 000003
【図２】
2004310087.tif 000004
【図３】
2004310087.tif 000005
【図４】
2004310087.tif 000006